(57)【要約】低電力モードにおいてアプリケーションを動作する性能を有する電子デバイス（例えば、ハンドヘルド型ポータブルコンピュータ）を提供する。低電力モード中では、アプリケーションの動作に必要のないハードウェア、ソフトウェア、サービスおよび／またはポータブルコンピュータの別の構成要素は、一時停止されるか非アクティブ化される。各タスクはアプリケーションによって実行されるので、そのアプリケーションにより実行される次のタスクに必要のない構成要素は、非アクティブ化され、必要に応じて再アクティブ化される。別の構成のうそによって必要とされる構成要素が時期を早めて非アクティブ化されないことを確実にするために、非アクティブ化は、最高レベルの構成要素から最低レベルの構成要素への順序で実行され得る。特定の組のイベントが、ポータブルコンピュータを低電力モードから移行させる。
2007506194.tif 000002
【特許請求の範囲】
【請求項１】
電子デバイスに使用可能な方法であって、
イベントをモニタリングすることと、
該イベントが検出された場合において、アプリケーションの動作パラメータを決定することと、
該決定された動作パラメータに基づいて、選択的に該電子デバイスの要素を非アクティブ化し、該アプリケーションの動作に関連して使用可能な該電子デバイスの少なくとも１つの要素をアクティブに保つことと、
該電子デバイスの該少なくとも１つのアクティブ要素を用いて、該電子デバイスの低減された電力状態において、該アプリケーションを動作することと
を包含する、方法。
【請求項２】
前記電子デバイスが、該電子デバイスのリッドが開いているか閉じているかを示すスイッチを含み、前記イベントをモニタリングすることが、該リッドが閉じているかを示すスイッチの状態を検出することを包含する、請求項１に記載の方法。
【請求項３】
前記電子デバイスが低電力ディスプレイモジュールを含み、前記イベントをモニタリングすることが、前記低減された電力状態への移行の要求が該低電力ディスプレイモジュールを介して入力されたかを検出することを包含する、請求項１に記載の方法。
【請求項４】
前記イベントが検出された場合において、
前記低減された電力状態にある間に前記アプリケーションを用いてタスクを実行する要求が存在するかを決定することと、
該要求が存在しないと決定された場合において、該低減された電力状態において該アプリケーションの動作と関連して使用可能な要素を含む前記電子デバイスの要素を非アクティブ化することと
をさらに包含する、請求項１に記載の方法。
【請求項５】
前記選択的に電子デバイスの要素を非アクティブ化することが、特定の時間において特定のリソースを使用する特定の要素に少なくとも一部基づいた順序に従って、該要素を選択的に非アクティブ化することを包含する、請求項１に記載の方法。
【請求項６】
前記選択的に要素を非アクティブ化することが、
オペレーティングシステムカーネルと通信し、いずれの要素を非アクティブ化するかを特定することと、
該特定された要素に関連したドライバを非アクティブ化することによって、該オペレーティングシステムカーネルを用いて、該特定された要素を非アクティブ化することと
を包含する、請求項１に記載の方法。
【請求項７】
前記選択的に要素を非アクティブ化することが、
基本入出力システム（ＢＩＯＳ）と通信し、いずれのハードウェア関連要素を非アクティブ化するかを特定することと、
該ＢＩＯＳを用いて該特定されたハードウェア関連要素を非アクティブ化することと
を包含する、請求項１に記載の方法。
【請求項８】
前記選択的に要素を非アクティブ化することが、タスクを一時停止するための再開されるまで一時停止のメッセージを生成することを包含し、
前記方法が、
タスクが一時停止された位置において、一時停止されたタスクを再開するための再開メッセージを生成することと、
前記低減された電力状態から出ることと
をさらに包含する、請求項１に記載の方法。
【請求項９】
前記電子デバイスが前記低減された電力状態にある間において、前記アプリケーションプログラムを用いてタスクを実行することと、
該電子デバイスが該低減された電子状態にある間において、該アプリケーションプログラムを用いて、該タスクに関連したリソースが別のタスクの実行に関連するかを決定することと、
少なくとも一部のリソースが該別のタスクの実行に関連しない場合において、該リソースを非アクティブ化することと
をさらに包含する、請求項１に記載の方法。
【請求項１０】
前記アプリケーションの動作パラメータを取得することをさらに包含し、
該取得することは、
ストレージユニットから電力管理データを読み出すことと、
該アプリケーションから該電力管理データを取得することと、
固定コードから該電力管理データを取得することと、
可変コードから該電力管理データを取得することと、
基本入出力システム（ＢＩＯＳ）から該電力管理データを取得することと
のうちの一つ以上を包含する、請求項１に記載の方法。
【請求項１１】
電子デバイスに使用可能な方法であって、
該電子デバイスの低電力モードの間において、アプリケーションを動作するためのパラメータを示すデータを取得することと、
該取得したデータを用いることによって、該低電力モードにおいて該電子デバイスの要素を選択的に非アクティブ化することと、
該低電力モードにおいて該アプリケーションによって使用可能な少なくとも一つの要素が該低電力モードにおいて該アプリケーションによって使用されている間には、該要素をアクティブ状態に保つことと、
使用されていない間には、該低電力モードにおける該アプリケーションの動作中において、該要素を非アクティブ化することと
を包含する、方法。
【請求項１２】
前記低電力モードにおいて、より高い電力モードに移行するまで、前記非アクティブ化された要素を実質的に非アクティブ状態に保つことをさらに包含する、請求項１１に記載の方法。
【請求項１３】
前記非アクティブ化される要素が、前記低電力モードにおいて前記アプリケーションによって使用されない、請求項１１に記載の方法。
【請求項１４】
前記選択的に非アクティブ化することが、最高レベル要素から最低レベル要素への順序で前記要素を選択的に非アクティブ化することを包含する、請求項１１に記載の方法。
【請求項１５】
前記電子デバイスのリッドを閉じることと、低電力ディスプレイモジュールのインタフェースを動作することとのうちの一方または両方に応答して、前記低電力モードへの移行を開始することをさらに包含する、請求項１１に記載の方法。
【請求項１６】
前記電子デバイスの要素を非アクティブ化することが、オペレーティングシステムカーネルと、基本入出力システムとのうちの一方または両方に、前記要素を非アクティブ化する命令を通信することを包含する、請求項１１に記載の方法。
【請求項１７】
前記電子デバイスの要素を非アクティブ化することが、前記低電力モードにある間においてタスクを一時停止することと、割り込みに応答するのではなく特定の命令に応答して該タスクを再開することとを包含する、請求項１１に記載の方法。
【請求項１８】
前記選択的に要素を非アクティブ化することが、
最高レベル要素から最低レベル要素への順序で選択的に非アクティブ化することであって、
第２の要素に動作が依存する第１の要素をまず非アクティブ化することと、
該第１の要素の非アクティブ化に続いて該第２の要素を非アクティブ化することと
を包含する、こと
を包含する、請求項１１に記載の方法。
【請求項１９】
電子デバイスに使用可能な方法であって、
該電子デバイスの低電力モードにおいて、少なくとも実質的にアプリケーションの動作に不必要な該電子デバイスの要素に供給される電力を低減することと、
該電子デバイスの該低電力モードにおいて、該アプリケーションの動作をサポートする量の電力を、該電子デバイスの別の要素に提供することと、
該別の要素の少なくとも一部が該低電力モードにおいて該アプリケーションによって使用された後において、該別の要素の少なくとも一部への電力を選択的に低減することと
を包含する、方法。
【請求項２０】
前記別の要素の少なくとも一部が前記低電力モードにおいて前記アプリケーションによって使用された後における該別の要素の少なくとも一部への電力が、該別の要素の少なくとも一部が該低電力モードにおいて該アプリケーションの次の動作に使用されない場合において、低減される、請求項１９に記載の方法。
【請求項２１】
前記電子デバイスの要素への電力を低減することが、
高レベル構成要素への電力をまず低減することと、
該高レベル構成要素の動作に独立した動作の低レベル構成要素への電力を順次低減することと
を包含する、請求項１９に記載の方法。
【請求項２２】
メインディスプレイスクリーンではなく低電力ディスプレイにおいて、前記低電力モードにおける前記アプリケーションの動作に関連した少なくとも一部のデータを提示することをさらに包含する、請求項１９に記載の方法。
【請求項２３】
電子デバイスに使用可能な製品であって、該製品は、
命令を格納した機械可読媒体であって、
電子デバイスの電力モードの間において、アプリケーションを動作するためのパラメータを示すデータを取得することと、
該取得したデータを用いることによって、該低電力モードにおいて該電子デバイスの要素を選択的に非アクティブ化することと、
該低電力モードにおいて該アプリケーションによって使用可能な少なくとも一つの要素が該低電力モードにおいて該アプリケーションによって使用される間には該要素をアクティブ状態に保つことと、
使用されていない間には、該低電力モードにおける該アプリケーションの動作中において該要素を非アクティブ化することと
によってプロセッサに該低電力モードにおいて該電子デバイスのアプリケーションを動作させる、機械可読媒体を備える、製品。
【請求項２４】
前記機械可読媒体が、前記低電力モードにおいて、より高い電力モードに移行するまで、前記非アクティブ化された要素を実質的に非アクティブ状態に保つ、該機械可読媒体に格納された命令をさらに含む、請求項２３に記載の製品。
【請求項２５】
前記機械可読媒体が、
最高レベル要素から最低レベル要素への順序で前記要素を選択的に非アクティブ化する、該機械可読媒体に格納された命令であって、
高レベル構成要素への電力をまず低減する命令と、
該高レベル構成要素のそれぞれの動作に独立した動作の低レベル構成要素への電力を順次低減する命令と
を含む、命令をさらに含む、請求項２３に記載の製品。
【請求項２６】
前記機械可読媒体が、メインディスプレイスクリーンに前記低電力モードにおいて前記アプリケーションによって取得された情報を提示するのではなく、低電力ディスプレイにおいて、該情報を提示する、該機械可読媒体に格納された命令をさらに含む、請求項２３に記載の製品。
【請求項２７】
前記要素を非アクティブ化する命令が、該要素の動作を一時停止し、再開メッセージに応答して動作を再開する命令を含む、請求項２３に記載の製品。
【請求項２８】
電子デバイスに使用可能なシステムであって、該システムは、
イベントをモニタリングする手段と、
該イベントが検出された場合において、アプリケーションの動作パラメータを決定する手段と、
該決定された動作パラメータに基づいて、選択的に該電子デバイスの要素を非アクティブ化し、該アプリケーションの動作に関連して使用される該電子デバイスの少なくとも１つの要素をアクティブに保つ手段と、
該電子デバイスの該少なくとも１つのアクティブ要素を用いて、該電子デバイスの低減された電力状態において、該アプリケーションを動作する手段と
を備える、システム。
【請求項２９】
前記イベントをモニタリングする手段が、前記電子デバイスのリッドが閉じているかを決定する手段と、前記低減された電力状態に入る要求が背面ディスプレイモジュールを介して提供されるかを決定する手段とのうちの一方または両方を含む、請求項２８に記載のシステム。
【請求項３０】
前記電子デバイスの要素間の動作の依存性に基づいて該要素を順次非アクティブ化する手段をさらに備える、請求項２８に記載のシステム。
【請求項３１】
アプリケーション、プログラムデータ、少なくとも１つのオペレーティングシステムおよび別の情報を格納する手段と、
データを提示する手段と、
前記電子デバイスの外部のデバイスと通信する手段と、
高電力および低電力処理用の手段と、
ユーザー入力を提供する手段と
をさらに備える、請求項２８に記載のシステム。
【請求項３２】
アプリケーションと、
低電力モードに移行する要求の表示を提供する少なくとも１つの構成要素と、
低電力モードサブシステムに、該構成要素から該表示を受信させ、該低電力モードへの移行を開始させる基本入出力システム（ＢＩＯＳ）と、
該低電力モードサブシステムによってアクティブ化され得る低電力モードサービスであって、代替的に該低電力モードへの移行を開始する表示を該構成要素から受信し、該低電力モードにおいて該アプリケーションの動作パラメータを決定することと、該決定された動作パラメータに基づいて該低電力モードサブシステムに要素を選択的に非アクティブ化する命令を提供することとが可能である、低電力モードサービスと
を備える、装置。
【請求項３３】
前記低電力モードにおいて前記アプリケーションの動作に対して実質的に使用されない要素を選択的に非アクティブ化する命令を前記低電力モードサービスから受信し、該命令に応答するオペレーティングシステムカーネルをさらに備える、請求項３２に記載の装置。
【請求項３４】
前記動作パラメータを示す情報を格納するために前記低電力モードサービスによってアクセス可能なデータストアをさらに備える、請求項３２に記載の装置。
【請求項３５】
前記動作パラメータが、前記ＢＩＯＳによって前記低電力モードサービスに提供され得る、請求項３２に記載の装置。
【請求項３６】
前記動作パラメータが、前記アプリケーションによって前記低電力モードサービスに提供され得る、請求項３２に記載の装置。
【請求項３７】
前記動作パラメータが、前記電子デバイスの要素間の動作の依存性に基づいて非アクティブ化される要素の順序を示す情報を含む、請求項３２に記載の装置。
【請求項３８】
前記低電力モードサービスが、特定のタスクに対して前記アプリケーションによって要素が使用された後、前記低電力モードにおいて該要素の非アクティブ化を選択的に命令し得る、請求項３２に記載の装置。
【請求項３９】
前記低電力モードサービスからの選択的に非アクティブにする命令が、前記アプリケーションの動作に関係のない少なくとも１つのタスクを一時停止する少なくとも１つの一時停止メッセージを含む、請求項３２に記載の装置。
【請求項４０】
特定のイベントに応答して、前記低電力モードサービスが、前記一時停止されたタスクの少なくとも一部を選択的に再開させる再開メッセージを生成し得る、請求項３２に記載の装置。
【請求項４１】
ディスプレイスクリーンを有する低電力ディスプレイモジュールをさらに備え、該ディスプレイスクリーン上に、データは前記低電力モードにおいて前記アプリケーションによって提示され得る、請求項３２に記載の装置。
【発明の詳細な説明】
【技術分野】
【０００１】
（関連出願の相互参照）
本願は、本願と同一譲受人に譲渡されたタイトルが「ＳＯＦＴＷＡＲＥ  ＡＮＤ  ＨＡＲＤＷＡＲＥ  ＦＥＡＴＵＲＥＳ  ＦＯＲ  ＭＩＮＩ−ＰＣ」の米国仮特許出願第６０／５０４，１６５号（２００３年９月１８日出願）の米国特許法第１１９条（ｅ）の利益を主張し、それは本明細書に援用される。
【０００２】
（技術分野）
本開示は、概して電子デバイスに関し、特に、低電力モードでアプリケーションを実行する性能を有するハンドヘルド型ポータブルコンピュータのような電子デバイスに関するが、それに限定されない。
【背景技術】
【０００３】
今日のコンピュータのユーザーは、移動性の高い個体である。出張、休暇または仕事への行き来にかかわらず、その個体は、ラプトップ、機能の強化された携帯電話、Ｐａｌｍ  ＰｉｌｏｔｓＴＭ、ＢｌａｃｋｂｅｒｒｉｅｓＴＭおよび別の携帯可能な電子デバイスのユーザーによって容易に識別可能である。確かに、多くの構築（ｅｓｔａｂｌｉｓｈｍｅｎｔ）が、単に短期間構築を経ることができネットワーク接続を必要とする個人に提供するインターネット接続を提供する。例えば、インターネット接続は、空港、ホテル、およびレストランやコーヒーショップでさえも利用可能である。
【０００４】
電子デバイスの携帯可能な特徴のために、性能には特定の制限がある。電力消費は、主要な例の一つである。ユーザーが電子デバイスを電力の出口に「差し込む」か、電子デバイスを接続架台にドッキングする動作環境では、電力消費は、通常、小さな問題である。そのような状況では、電子デバイスの動作に対して一定かつ実質的に無限の電力がある。それによって、電子デバイスがプラグで接続して内部電源（例えば、内臓バッテリー）からの電力を消費する必要がなくなる。
【０００５】
しかし、インターネット接続（および、通常は対応する固定電力供給）を提供する構築は増設されが、いまだ、その移動性の高いユーザーが固定電力供給を利用できない場合が多い。そのような場合では、電子デバイスは、その電子デバイスを用いてアプリケーションを実行するか別の機能を実行するために必要な電力を供給するのに自身の内臓バッテリーに頼る必要がある。
【０００６】
内臓バッテリーからの電力を用いて最大電力モードで動作される場合では、電子デバイスは、通常、バッテリーが空になるまでの数時間だけ動作可能である。実際、多くの異なるソフトウェアサービス、ソフトウェアアプリケーションおよびハードウェアは、電子デバイスの種々のサブシステムおよび構成要素を用いて最大電力モードで同時に動作し得る。ディスプレイ、ディスクドライブ、およびプロセッサ（特に、グラフィックプロセッサ）は、同時に動作し得るがかなりの量の電力を消費する電子デバイスの構成要素の一部である。
【０００７】
電力消費（特に固定電力供給が利用可能でない場合）を低減するのを促進するために、多くの電子デバイスは、電子デバイスが停止されかつ／または実質的にそのサブシステムおよび構成要素の全てへの電力を低減する「スタンバイ」モードを含む。そのようなスタンバイモードでは、ユーザーは、通常、電子デバイスがスタンバイモードから最大電力モードへと切り替えられない限り、全てのアプリケーションを使用することができない。従って、利用可能な固定電力供給がない場合で最大電力モードの間では、多くの場合、ユーザーは、電子デバイスの限られただけの使用かつ非常に効率的な使用をする必要があり得る。さらに、可能な限り、ユーザーが、電子デバイスを完全に停止するか実質的に非機能的なスタンバイモードに保つ必要さえもあり得る。
【０００８】
ユーザーがこのような念入りな電力の保存をし損ねると、ユーザーが再充電するか内蔵バッテリーを交換し、かつ／または固定電力供給に接続し得るまで、電子デバイスは電力を切らし使用できなくなる。例えば、アプリケーションの動作中にハードディスクドライブを繰り返しアクセスすることは、内臓バッテリーから供給され得る利用可能な電力の量が劇的に低減し得る。ソフトウェアアプリケーションがハードディスクドライブにアクセスすることに対する普遍の要求は、スタンバイモードでアプリケーションの機能を制限または消去することに対する重要な理由である。この制約付の動作環境は、利用可能な固定電力供給がない場合において、特定のアプリケーションに対して、携帯可能な電子デバイスの使用を望み得る移動性の高いユーザーにとって不便であり非実用的である。
【発明の開示】
【課題を解決するための手段】
【０００９】
（発明の概要）
好適な一局面は、電子デバイスに使用可能な方法を提供する。その方法は、イベントをモニタリングすることと、そのイベントが検出された場合においてアプリケーションの動作パラメータを決定することとを含む。決定された動作パラメータに基づいて、その方法では、電子デバイスの構成要素を非アクティブ化し、アプリケーションの動作と関連して使用可能である電子デバイスの少なくとも１つの構成要素をアクティブに保つ。その方法では、その電子デバイスの少なくとも１つのアクティブな構成要素を用いて、電子デバイスの低減された電力状態において、アプリケーションを動作する。
【００１０】
添付の図を参照して、非限定的かつ非排他的な実施形態を説明する。図中では、特別の定めのない限り、類似の参照番号は種々の図にわたって類似の部分を参照する。
【発明を実施するための最良の形態】
【００１１】
電子デバイス（例えば、ハンドヘルド型ポータブルコンピュータの形態の携帯可能な電子デバイス）を低電力モードで動作する方法の実施形態を本明細書において説明する。実施形態の完全な理解を提供するために、以下の記載において数々の特定の詳細を示す。本発明は、その特定の詳細のうちの一つ以上なしでも、別の方法、構成要素、材料などを用いても実施され得る。別の例では、本発明の局面を不明瞭にするのを避けるために、構造、材料または動作は、示さないか、詳細には説明しない。
【００１２】
「一実施形態」または「ある実施形態」への参照は、本明細書全体にわたって、その実施形態と関連して説明される特定の機能、構造または特徴が少なくとも１つの実施形態に含まれるということを意味する。従って、本明細書全体にわたって種々の場所にあるフレーズ「一実施形態では」または「ある実施形態では」は、必ずしも全てが同一の実施形態を参照する必要はない。さらに、特定の機能、構造または特徴は、一つ以上の実施形態において任意の適切な態様で組み合わされ得る。
【００１３】
概要として、ある実施形態は、低電力モード中においてアプリケーションを動作する性能を有する電子デバイスを提供する。そのような電子デバイスの非限定的な例は、携帯可能な電子デバイスである。一実施形態による電子デバイスは、ハンドヘルド型ポータブルコンピュータを備える。低電力モードでのポータブルコンピュータの動作中において、アプリケーションの動作に必要でないハードウェア、ソフトウェア、サービスおよび／またはポータブルコンピュータの別の構成要素は、一時停止されるか、もしくは非アクティブ化される。さらに、そのアプリケーションによって各タスクが実行されるので、次のタスクに必要でない構成要素は、動作を停止され、必要に応じて再びアクティブにされる。別の構成要素に必要とされるか、もしくは別の構成要素に依存した動作に含まれる構成要素が時期を早めて非アクティブ化されることが確保されるように、最高レベルの構成要素から最低レベルの構成要素へと順々に非アクティブ化が実行され得る。特定のイベントの組は、ポータブルコンピュータを、低電力モードから別の動作モード（例えば、最大電力モード）に移行させる。
【００１４】
図１〜２は、例示的な電子デバイス（この場合では、ある実施形態にインプリメントされ得るハンドヘルド型ポータブルコンピュータ１００）の正面の上側と右側の等角図である。ポータブルコンピュータ１００は、この出願全体にわたり例示的な例として用いられるが、別の実施形態は、必ずしも「コンピュータ」と考えられなくあり得るデバイス、または必ずしも図１〜２に示されるポータブルコンピュータ１００と同じ形状および外形を有する必要はなくあり得るデバイスを用いてインプリメントされ得る。実施例には、本明細書に記載の原理によって解消可能である電力消費の問題を有し得る無線通信デバイス、ディスプレイデバイス、モニタ、オーディオビデオ装置、家庭用電子デバイス、または別の電子デバイスが含まれるが、それらに限定されない。
【００１５】
図示するように、ポータブルコンピュータ１００は、蝶番で動く第１の部分１０２および第２の部分１０４を含むという点において、ラプトップコンピュータに外見は類似する。第１の部分１０２は、キーパッドまたはキーボード１１０と、内部の電子部品（例えば、一つ以上のプロセッサ、機械読取り可能な記憶媒体、グラフィックドライバなど）用のハウジングとを含み得る。第２の部分１０４は、第１の部分１０２の上に折り重なるリッド（ｌｉｄ）として動作し（図２に示すように閉じた位置にある場合）、図１に示されるように第２の部分１０４が展開されていて立位にある間において情報を表示するかもしくはデータ（例えば、電子メール、ユーザーインタフェース、グラフィックスなど）を提示するディスプレイ画面１０８を含む。
【００１６】
しかし、従来のラプトップコンピュータとは異なり、一例示的な実施形態のポータブルコンピュータ１００は、体積および重量の両点で実質的にサイズが小さい。例えば、ポータブルコンピュータ１００は、長さが１４０ｍｍ、幅が１０１ｍｍ、そして厚みが３０ｍｍ（閉じている間）で、重量が約１ポンドであり得る。第２の部分１０４上のディスプレイ画面１０８は、デスクトップコンピュータのモニタに匹敵する解像度を有し得る。通常、ディスプレイ画面１０８のサイズ、第１の部分１０２に位置する内部部品（例えば、チップおよび回路基板）のサイズ、内部部品の戦略的配置（例えば、密度）、および他の要素は、ポータブルコンピュータ１００の全体の形状因子に影響を及ぼし得る。図１〜２に示されるように、ポータブルコンピュータ１００は、開いた位置であろうと閉じた位置であろうと、ユーザーの手１０６にしっかりと保持され得るようなサイズを有する。別の実施形態では、ポータブルコンピュータ１００は、それよりも大きいか異なった形状因子を有し得、かつ／またはそれより重くあり得る。
【００１７】
図２に示す特定の実施形態では、ポータブルコンピュータ１００は、第２の部分１０４に組み込まれた低電力ディスプレイ１１４を含み得る。そのような実施形態では、ポータブルコンピュータ１００のリッドが閉じられポータブルコンピュータ１００が低電力モードである間において、低電力ディスプレイ１１４が特定の情報を提示するために使用され得るか、別の形式のデータを提示するために用いられ得る。低電力ディスプレイ１１４は、ユーザーが低電力モードのアプリケーションと相互作用し、ポータブルコンピュータ１００をトリガすることによって低電力モードまたは別の動作に移行させ得るユーザーインタフェースも含む。
【００１８】
低電力ディスプレイ１１４が第２の部分１０４の表面上に配置されたものとして図２に示されるが、低電力ディスプレイ１１４は、ポータブルコンピュータ１００上の別の場所に配置され得る。例えば、低電力ディスプレイ１１４は、ポータブルコンピュータ１００の側面、底面または任意の面の組み合わせの上に配置され得る。
【００１９】
以下に説明する一実施形態では、図１のポータブルコンピュータ１００は、リッドスイッチ１１２を含む。リッドスイッチ１１２は、ポータブルコンピュータ１００のリッドが開いているか閉じているかを示す一種のトリガとして動作する。従って、例えば、図２に示されるようにポータブルコンピュータ１００のリッドが閉じている場合、リッドスイッチ１１２は、電気機械接続で物理接触し得るか、方向を変更し得るか、押し下げられ得るか、割り込みのような信号を引き起こす状態の別タイプの変化を受け得る。一電力状態から別の電力状態（例えば、低電力モード）への移行を開始するために、そのような割り込みが、オペレーティングシステム、基本入出力システム（ＢＩＯＳ）、サービス、または別のソフトウェアコンポーネントによって用いられ得る。リッドスイッチ１１２は、任意の適切な形状、メカニズム、機能または別の動作特徴で具体化され得る。
【００２０】
低電力モードの方法がインプリメントされ得る実施形態におけるポータブルコンピュータ１００の例は、タイトルが「ＳＹＳＴＥＭ  ＡＮＤ  ＭＥＴＨＯＤ  ＦＯＲ  ＨＥＡＴ  ＲＥＭＯＶＡＬ  ＦＲＯＭ  Ａ  ＨＡＮＤ−ＨＥＬＤ  ＰＯＲＴＡＢＬＥ  ＣＯＭＰＵＴＥＲ  ＷＨＩＬＥ  ＤＯＣＫＥＤ」の米国特許出願第１０／３８８，８０２号；タイトルが「ＮＡＶＩＧＡＴＩＯＮ  ＡＮＤ  ＳＥＬＥＣＴＩＯＮ  ＣＯＮＴＲＯＬ  ＦＯＲ  Ａ  ＨＡＮＤ−ＨＥＬＤ  ＰＯＲＴＡＢＬＥ  ＣＯＭＰＵＴＥＲ」の米国特許出願第１０／３８８，８１５号；タイトルが「ＨＥＡＴ  ＤＩＳＳＩＰＡＴＩＯＮ  ＦＲＯＭ  Ａ  ＨＡＮＤ−ＨＥＬＤ  ＰＯＲＴＡＢＬＥ  ＣＯＭＰＵＴＥＲ」の米国特許出願第１０／３８８，７６１号；タイトルが「ＫＥＹＢＯＡＲＤ  ＷＩＴＨ  ＭＯＵＳＥ  ＦＯＲ  Ａ  ＨＡＮＤ−ＨＥＬＤ  ＰＯＲＴＡＢＬＥ  ＣＯＭＰＵＴＥＲ」の米国特許出願第１０／３３８，７１９号に開示されている。これらの出願は、全て２００３年１月７日に出願されており、本願と同一の譲受人に譲渡されており、その全てが本明細書に援用される。
【００２１】
図３および付随する議論は、実施形態がインプリメントされ得る適切なコンピュータ環境の描写を提供する。必要ではないが、コンピュータ（例えばポータブルコンピュータ１００）によって実行されるプログラムアプリケーション、モジュール、オブジェクト、ドライバ、サービスまたはマクロなどの、コンピュータ実行可能な命令とハードウェアとの一般的なコンテキストで実施形態を説明する。この図に示された実施形態に加えて、別の実施形態が、別のコンピュータシステムおよび／またはネットワークコンフィギュレーションで実行され得る。
【００２２】
図３は、コンピュータシステム３００を示し、特に、ポータブルコンピュータ１００のある実施形態をより詳細に示す。コンピュータシステム３００は、ポータブルコンピュータ１００とサーバコンピュータシステム３０２とを含む。サーバコンピュータシステム３０２は、一つ以上のネットワーク位置（例えば、電子メール情報を格納および供給し、ポータブルコンピュータ１００に対して別の情報を供給するような一つ以上のインターネットサービスプロバイダ（ＩＳＰ）の位置）に配置され得る。
【００２３】
ポータブルコンピュータ１００は、高電力処理用の高電力処理ユニット３０４と、少なくとも１つのシステムメモリ３０６と、システムメモリ３０６を含む種々のシステムコンポーネントを高電力処理ユニット３０４に結合するシステムバス３０８とを含む。高電力処理ユニット３０４は、任意の論理処理ユニット（例えば、一つ以上の中央処理装置（ＣＰＵ）、デジタル信号プロセッサ（ＤＳＰ）、グラフィックプロセッサ、特定用途向け集積回路（ＡＳＩＣ）など）であり得る。
【００２４】
ある実施形態では、ポータブルコンピュータ１００は、低電力処理用の低電力処理ユニット３１０も含み得る。そのユニットは、高電力処理ユニット３０４として同一のオペレーティングシステムで動作してもよく、必ずしもそれで動作しなくてもよい。例えば、一実施形態では、別個のオペレーティングシステム、メモリ、アプリケーション、または別の構成要素が、高電力処理ユニット３０４および低電力処理ユニット３１０に提供され得る。ある実施形態では、高電力処理ユニット３０４および低電力処理ユニット３１０が、別個の専用構成要素を有するよりもむしろ特定の要素を共有することも、可能である。
【００２５】
システムバス３０８は、任意の適切なバス構造またはアーキテクチャを用い得、それには、メモリコントローラを備えたメモリバス、周辺バスおよびローカルバスが含まれる。システムメモリ３０６は、一つ以上の読み取り専用メモリ（ＲＯＭ）３１０と、一つ以上のランダムアクセスメモリ（ＲＡＭ）３１２を含み得る。一実施形態では、別個のＲＯＭ  ３１０、ＲＡＭ  ３１２、および／または別のメモリは、低電力ディスプレイ１１４に専用であり得る。例えば、ＢＩＯＳ  ３１４は、ＲＯＭ  ３１０に格納され得るが、例えばスタートアップの間において、ポータブルコンピュータ１００内の要素間で情報の転送を促進するルーチンを含む。以下に、低電力モードと関連して、ＢＩＯＳ  ３１４のある実施形態の動作をさらに詳細に説明する。
【００２６】
ポータブルコンピュータ１００は、ハードディスク３１８から読み取りそのハードディスクに書き込むハードディスクドライブ３１６を含み得る。ハードディスクドライブ３１６は、システムバス３０８を介して、高電力処理ユニット３０４と通信する。ハードディスクドライブ３１６は、そのようなドライブ（単数または複数）とバス３０８との間に接続されたインタフェースまたはコントローラ（図示せず）を含み得る。ハードディスクドライブ３１６とそれに関連したハードディスク３１８は、コンピュータ可読命令と、データ構造と、プログラムモジュールと、ポータブルコンピュータ１００に対する別のデータとの不揮発性ストレージまたは永久ストレージを提供する。示したポータブルコンピュータ１００はハードディスクドライブ３１６とハードディスク３１８とを用いるが、コンピュータによってアクセス可能なデータを格納し得る別のタイプのドライバおよびコンピュータ可読媒体（例えば、コンパクトディスク（ＣＤ）、磁気カセット、フラッシュメモリカード、デジタルビデオディスク（ＤＶＤ）、ベルヌーイカートリッジ、ＲＡＭ、ＲＯＭ、スマートカードなど）が用いられ得る。一実施形態では、ハードディスクドライブ３１６および／または別のドライバは、ポータブルコンピュータ１００自体のハウジング内に組み込まれず、有線または無線の通信インタフェースを介してアクセス可能な外部デバイスである。
【００２７】
システムメモリ３０６は、種々のプログラムモジュール（例えば、一つ以上のオペレーティングシステム３２０、一つ以上のアプリケーションプログラム３２２（例えば、電子メールプログラム、メディアプレーヤ、または高電力モードもしくは低電力モードで動作し得る別のアプリケーション）、別のプログラムまたはモジュール３２４およびプログラムデータ３２６）を格納するために用いられ得る。用いられ得るオペレーティングシステム３２０の非制限的な例は、Ｒｅｄｍｏｎｄ、ＷａｓｈｉｎｇｔｏｎのＭｉｃｒｏｓｏｆｔ  Ｃｏｒｐｏｒａｔｉｏｎから市販されているＷｉｎｄｏｗｓ（登録商標）  ＸＰである。特定の実施形態で用いられるＷｉｎｄｏｗｓ（登録商標）  ＸＰおよび別の適切なオペレーティングシステムは、電力管理サブシステムを含み得る。ある実施形態では、電力管理能力は、オペレーティングシステム３２０の電力管理サブシステムによって提供される電力管理を補う低電力モードと関連して提供される。
【００２８】
プログラムデータ３２６は、データ構造、ファイル、または別のデータフォーマットとして、キャッシュ、データベース、またはシステムメモリ３０６に組み込まれるかそのメモリと別個の別のストレージユニットに、格納され得る。一実施形態では、プログラムデータ３２６は、ポータブルコンピュータ１００の特定のサービス、ソフトウェアおよびハードウェアの電力必要量を示す別の電力管理データと電力プロファイルとを含む。後述するように、この電力管理データは、一実施形態において用いられて、低電力モード中において「ＯＮ」のままにするポータブルコンピュータ１００の部品および「ＯＦＦ」にする部品と、ＯＮまたはＯＦＦに保つ時間と、種々の部品をＯＮまたはＯＦＦにする順序と、別のパラメータおよび設定とを決定する。低電力モードにおける動作を管理および制御するために相互作用する種々の別のプログラム／モジュール３２４と、アプリケーションプログラム３２２（より具体的には、一部のタイプの適切な低電力モードのアプリケーションプログラム）とのさらに詳細な議論を以下に提供する。
【００２９】
ポータブルコンピュータ１００がソース（インターネットのウェブサイト、企業イントラネット、エクストラネットおよび／または後述する別のネットワーク）およびサーバーコンピュータ上の別のサーバーアプリケーションにアクセスしデータを交換することを可能にするウェブブラウザ３２８も、ポータブルコンピュータ１００は含み得る。明瞭化を目的として、図３では、ブラウザ３２８は別々に示されている。種々の実施形態によると、ブラウザ３２８は、アプリケーションプログラム３２２のうちの１つと、別のプログラム／モジュール３２４のうちの１つとを含み得、かつ／またはオペレーティングシステム（単数または複数）３２０と特定の態様で一体化され得る。図３ではシステムメモリ３０６に格納されているものとして示されているが、オペレーティングシステム３２０、アプリケーションプログラム３２２、別のプログラム／モジュール３２４、プログラムデータ３２６およびブラウザ３２８は、別の実施形態では、ハードディスクドライブ３１６のハードディスク３１８および／または別のコンピュータ可読媒体に格納され得る。さらに、システムメモリ３０６に格納されているものとして示されている種々の要素は、必ずしも同一の物理メモリに備わる必要はない。例えば、低電力処理ユニット３１０と低電力ディスプレイ１１４とがポータブルコンピュータ１００から動作可能に脱着され得るか、ポータブルコンピュータ１００の別の部品と独立して動作し得る実施形態では、別個のメモリ（オペレーティングシステムと、ＲＡＭと、ＲＯＭと、アプリケーションと、別の要素を格納したメモリ）は、低電力処理ユニット３１０および低電力ディスプレイ１１４とともにポータブルコンピュータ１００から動作可能に分離され得る。そのような実施形態では、分離可能な構成要素は、低電力ディスプレイモジュール（ＬＰＤＭ）に組み込まれ得る。
【００３０】
ユーザーは、一つ以上の入力デバイス（例えば、キーボード１１０）およびポインティングデバイス（例えば、キーボード１１０に組み込まれ得るようなマウス３３０であって、その例示的な実施形態は米国特許出願第１０／３３８，７１９号に開示されている）を介して、またはユーザー入力を提供するのに有効な別のタイプのデバイスを介して、命令および情報をポータブルコンピュータ１００に入力し得る。あるいは、またはその上、マウス３３０は、物理ボタンと比べてタッチパッドとして具体化され得る。別の入力デバイスは、キーボード１１０の面についた一つ以上のボタン３３２の形態を取り得、そのボタン（単数または複数）３３２は、ボタン（単数または複数）３３２の回転および押し下げを介したスクロールおよびクリックに有効である。別の可能な入力デバイスには、マイク、ジョイスティック、ゲームパッド、スキャナなど（図示せず）が含まれ得る。これらの入力デバイスおよび別の入力デバイスは、バス３０８に結合するインタフェース３３４（例えば、シリアルポートインターフェース）を介して高電力処理ユニット３０４に接続される（ポータブルコンピュータ１００はパラレルポート、ゲームポートなどの別のインタフェース、または無線インタフェース、またはユニバーサルシリアルバス（ＵＳＢ）を用い得るが）。インタフェース３３４は、バス３０８への任意の適切な通信インタフェースであり得、必ずしもそれ自体がポートである必要はない。一実施形態では、入力デバイス（例えば、マウス、ジョイスティック、ゲームパッド、キーボードなど）は、シリアルまたはパラレルポートインターフェースを介して結合可能であるよりむしろ、または結合可能であることに加えて、ポータブルコンピュータ１００のハウジングに直接組み込まれる。
【００３１】
ディスプレイ画面１０８は、メインディスプレイとして動作し、グラフィックインターフェース３３６（例えば、ビデオおよび別のグラフィックをディスプレイ画面１０８上に提供することを可能にするビデオアダプタまたは別のグラフィック構成要素）を介してバス３０８に結合される。低電力ディスプレイ１１４は、一実施形態において存在し得て、リッドがポータブルコンピュータ１００上に閉じられているときにおいて低電力モード中に、データの提示（例えば、ポータブルコンピュータ１００の第２の部分１０４の外面における提示）を可能にする。低電力ディスプレイ１１４は、グラフィックインターフェース３３６（または別のインターフェース）を介してバス３０８に結合され得るか、バス３０８に直接結合され得る。低電力ディスプレイ１１４には、自身のユーザーインタフェース（例えば、ボタンおよびメニュー）が提供され得る。図３にも示されるように、リッドスイッチ１１２は、システムバス３０８に結合され得て、ポータブルコンピュータ１００の種々の構成要素がポータブルコンピュータ１００のリッドの閉じまたは開きを検出し、それに応答することを可能にする。
【００３２】
ポータブルコンピュータ１００は、一つ以上の遠隔のコンピュータおよび／またはポータブルコンピュータ１００の外部のデバイス（例えば、サーバコンピュータシステム３０２およびネットワークデバイス３４０（例えば、プリンタまたはネットワークストレージユニット））への論理接続を用いて、ネットワーク環境において動作し得る。コンピュータが、例えば無線ローカルエリアネットワーク（ＷＬＡＮ）３４２、無線ワイドエリアネットワーク（ＷＷＡＮ）、または、インターネットを用いるかインターネットと通信し得る有線および無線のネットワークを含んだ別のネットワーク３４４（例えば、ワールドワイドウェブ）を介して、通信を可能にする適切な方法の下で、ポータブルコンピュータ１００は、一つ以上の遠隔のコンピュータシステムまたはデバイスに論理接続される。種々の実施形態は、様々なタイプの通信ネットワークと通信するようにインプリメントされ得る。そのネットワークには、電気通信網、セルラーネットワーク、ページングネットワーク、有線および無線の企業内コンピュータネットワーク、イントラネット、エクストラネット、インターネット、および別のタイプのネットワークが含まれるが、これらには限定されない。ポータブルコンピュータ１００が用いて通信し得る無線システムおよびプロトコルの例には、Ｗｉ−Ｆｉ、Ｂｌｕｅｔｏｏｔｈ、８０２．１１などが含まれるが、これらには限定されない。
【００３３】
ＬＡＮネットワーク環境で用いられる場合、ポータブルコンピュータ１００は、バス３０８に通信可能にリンクされたアダプタまたはネットワークインタフェース３４６を介してＬＡＮ  ３４２に接続され得る。ＷＷＡＮまたは別のネットワーク３４４において用いられる場合、ポータブルコンピュータ１００は、このネットワーク環境における通信を構築するための、あるいは外部デバイスと通信するためのモデム、トランシーバ３４８、または、ネットワークインタフェース３４６などの別のデバイスを含み得る。図３に示されるようなトランシーバ３４８は、インタフェース３３４とネットワーク３４４との間において通信可能にリンクされる。トランシーバ３４８は、例えば８０２．１１、ＧＰＳ、Ｂｌｕｅｔｏｏｔｈ、携帯電話（ＴＤＭＡ、ＦＤＭＡおよび／またはＣＤＭＡ）、Ｗｉ−Ｆｉ、仮想プライベートネットワーク（ＶＰＮ）および／または別の通信規格もしくは方法に準拠する一つ以上の送信器、受信器、または別の通信デバイスであり得る。
【００３４】
一実施形態では、ポータブルコンピュータ１００は、ＴＣＰ／ＩＰ（ｔｒａｎｓｍｉｓｓｉｏｎ  ｃｏｎｔｒｏｌ  ｐｒｏｔｏｃｏｌ／Ｉｎｔｅｒｎｅｔ  ｐｒｏｔｏｃｏｌ）ミドルレイヤのネットワークプロトコル、または別のネットワークプロトコルレイヤ（例えば、ＵＤＰ（Ｕｓｅｒ  Ｄａｔａｇｒａｍ  Ｐｒｏｔｏｃｏｌ））を備えたＬＡＮ  ３４２および／またはネットワーク３４４を介して、サーバコンピュータシステム３０２に通信可能にリンクされる。図３に示されるネットワーク接続は、コンピュータと、用いられ得る有線リンクおよび無線リンクを含む別のリンクとの通信リンクを構築する一部の例に過ぎない。
【００３５】
サーバコンピュータシステム３０２は、一つ以上のサーバ３５０を含む。電子メールのコンテキストでは、サーバ３５０は、電子メールサーバを含み得る。そのようなサーバの一例はＭｉｃｒｏｓｏｆｔ  ＥｘｃｈａｎｇｅＴＭサーバであり、本明細書に記載する原理は、Ｍｉｃｒｏｓｏｆｔ  ＥｘｃｈａｎｇｅＴＭサーバを用いる電子メールインプリメンテーションのみには限定されない。
【００３６】
図４は、一実施形態による電力状態の図示４００である。より詳しくは、図４は、一実施形態に従って、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）の仕様にサポートされる動作電力状態Ｓ０〜Ｓ２およびＳ３〜Ｓ５と、ＡＣＰＩで規定されていない低電力モード状態Ｓ２．５とを示す。通常、Ｓ０〜Ｓ２およびＳ３〜Ｓ５の電力状態は、オペレーティングシステム３２０における電力管理サブシステム（例えば、Ｗｉｎｄｏｗｓ（登録商標）電力管理システム）の一部として組み込まれる電力プロファイルにおいて規定される。簡潔にするために、本明細書では、ＡＣＰＩ電力状態の概要のみを提供する。ＡＣＰＩ電力状態のさらなる詳細は、Ｃｏｍｐａｃ  Ｃｏｍｐｕｔｅｒ  Ｃｏｒｐｏｒａｔｉｏｎ等の、「Ａｄｖａｎｃｅｄ  Ｃｏｎｆｉｇｕｒａｔｉｏｎ  ａｎｄ  Ｐｏｗｅｒ  Ｉｎｔｅｒｆａｃｅ  Ｓｐｅｃｉｆｉｃａｔｉｏｎ」改訂２．０ｃ（２００３年８月２５日）に見ることができる。さらに、別の実施形態は、必ずしもＡＣＰＩの仕様に準拠する必要はない電力状態に基づき得る。
【００３７】
Ｓ０電力状態では、高電力処理ユニット３０４が、最大クロック速度で命令を実行し、ポータブルコンピュータ１００は、実質的に全容量（例えば１００％）で動作する。例えば、多くのサービスは、いつでも使え、それらのタスクを実行し、データは、ハードディスクドライブ３１６に書き込まれ、そのドライブから読み出され、メインディスプレイ画面１０８は、コンテンツを提供し、別の作業状態タスクは、実行される。
【００３８】
Ｓ１電力状態は、低ウェイクモード（ｌｏｗ  ｗａｋｅ  ｍｏｄｅ）のスリープ状態である。Ｓ１電力状態では、高電力処理ユニット３０４（または別の処理ユニット）は、命令を実行しない。プロセッサのコンテキストは維持され、全てのシステムクロックおよびメモリはリフレッシュ状態にある。Ｓ２電力状態もまた、Ｓ１電力状態よりも論理的に低く低ウェイクモードのスリープ状態であり、より多くの電力を保存するとみなされる。プロセッサのコンテキストは維持され、高処理ユニット３０４のクロックは停止される。さらに、全てのシステムクロック、キャッシュ（単数または複数）およびメモリは、リフレッシュ状態にあり、Ｓ０およびＳ１のシステムレベル基準を供給する全ての電力リソースは、ＯＦＦ状態である。通常、任意の割り込み（例えば、キーボード１１０上のキーの押し下げ）が、ポータブルコンピュータ１００を起こすか、それらのモードから移行させるという点において、Ｓ１およびＳ２電力状態は、低ウェイクモードである。
【００３９】
Ｓ３電力状態は、スタンバイモードであり、論理的にＳ２電力状態よりも低い電力状態である。メモリは連続して動作しリフレッシュされる。そのため、例えば、ＲＡＭ  ３１２のデータコンテキストが維持される。しかし、高電力処理ユニット３０４、グラフィックシステムに関連した構成要素、ハードディスクドライブ３１６、メインディスプレイ画面１０８、およびポータブルコンピュータ１００の別の構成要素は、停止され、動作中のサービスはない。一実施形態では、複数の特定のアクション（例えば、電力ボタンの押すこと、ポータブルコンピュータ１００のリッドを開くこと（従って、リッドスイッチ１１２をアクティブにすること）および、ＬＡＮ／ＵＳＢ／ｆａｘ上のウェイク信号を受け取ること）が、Ｓ３電力状態からポータブルコンピュータ１００を起こす。
【００４０】
Ｓ４電力状態では、ポータブルコンピュータ１００は、休止モードである。ＲＡＭ  ３１２のデータコンテキストは維持されず、大抵の構成要素は、停止され、動作していない。Ｓ５電力状態は、論理的に最も低い電力状態であり、起こされたときにおいて完全な起動を必要とするソフトオフモードである。
【００４１】
一実施形態によると、Ｓ２電力状態とＳ３電力状態との間に中間電力状態が提供される。これは、ＡＣＰＩで規定されていない電力状態であり、図４では、電力状態「Ｓ２．５」としてラベル付けされている。本明細書では、ラベル「Ｓ２．５」は、単に、便宜上のものであり、説明の軽減およびコンテキストの提供のために用いられ、本発明をＡＣＰＩ環境に厳密に制限されることを意図しない。
【００４２】
Ｓ２．５電力状態のある実施形態では、ポータブルコンピュータ１００の大抵の構成要素は停止される。しかし、低電力モードアプリケーションは動作しており、その低電力モードアプリケーションの動作をサポートするのに必要とされるポータブルコンピュータ１００の種々の構成要素は、低電力モードアプリケーションの動作中においてそのような構成要素が必要とされなくなるまで（必要とされなくなった場合には、そのような構成要素は停止される）、選択的にＯＮであるか、実行中である。高電力処理ユニット３０４のクロックの速度はまた、低電力モードアプリケーションをサポートするのに最低速度まで低減される。例えば、低電力モード中のクロックの速度は、高電力処理ユニット３０４に対して指定された最低速度に設定され得、これの非限定的かつ単に例示である例は、約４３３ＭＨｚである。従って、Ｓ２．５電力状態に移行し、その状態で動作するためには、特定の不必要な構成要素を停止する順序および期間が、電力消費を最小化し得る。さらに、ポータブルコンピュータ１００は、Ｓ１またはＳ２電力状態と比べて、基本的な割り込みによってはＳ２．５電力状態から起こされない。むしろ、特定のイベント（例えば、ポータブルコンピュータ１００のリッドを開くこと）によってのみ、高電力状態（例えば、Ｓ０）への移行を引き起こす。低電力モードへの移行およびそのモードからの移行を含めたＳ２．５電力状態における低電力モードの動作のさらなる詳細を、以下に提供する。
【００４３】
図５は、図４の電力状態を考慮した一実施形態によるポータブルコンピュータ１００の種々の構成要素の相互作用と動作の図示５００である。より詳しくは、図示５００は、低電力モード（換言すると、Ｓ２．５電力状態）における動作をより詳細に図解する。
【００４４】
ＢＩＯＳ  ３１４は、実時間クロック（ＲＴＣ）５０２と、ブートローダ５０４と、ＣＰＵ最低クロックおよびスロットル５０６とを含む。一実施形態によると、ＢＩＯＳ  ３１４は、低電力モードサブシステム５０８を含み、そのサブシステムは、別の低電力モード構成要素と相互作用することによって、Ｓ２．５電力状態への移行およびその状態からの移行を制御および管理し、低電力モード動作と関連して特定の構成要素（通常は、ハードウェアに関連した構成要素）をＯＦＦまたはＯＮにすることを管理および制御する。低電力モードサブシステム５０８は、ソフトウェアソースコード、ソフトウェアオブジェクトコード、または別の機械読取り可能な命令に具体化され得る。さらに、図５に示されるように、ＢＩＯＳ  ３１４は、Ｓ０およびＳ３電力状態への移行およびそれらの状態からの移行を制御および管理し得る。
【００４５】
一実施形態によるＳ２．５電力状態への移行またはその状態になること（または、Ｓ３電力状態になること）は、ポータブルコンピュータ１００のリッドを閉じることによりリッドスイッチ１１２をトリガするかアクティブ化することによって、実行され得る。さらに、Ｓ２．５電力状態から抜けること（または、Ｓ３電力状態から抜けること）は、ポータブルコンピュータ１００のリッドを開くことによって、実行され得る。その開くことも、リッドスイッチ１１２の状態の変化をトリガする。図５の矢印５１６は、Ｓ２．５電力状態になること、およびその状態から抜けることを表す。矢印５１６は、ＢＩＯＳ呼び出し、割り込み、またはリッドスイッチ１１２からＢＩＯＳ  ３１４への別の通信によって、実行され得る。Ｓ２．５電力モードの低電力モードになるときにおいて、ＢＩＯＳ  ３１４の低電力モードサブシステム５０８は、低電力モードサービス５２０を起こす。このことは、矢印５２２に示される。あるいは、またはそれに加えて、破線の矢５１８は、Ｓ２．５電力状態への移行またはその状態からの移行が、リッドスイッチ１１２のアクティブ化の結果としてのリッドスイッチ１１２から低電力モードサービス５２０への直接的な通信によって実行され得ることを示す。
【００４６】
ある実施形態では、Ｓ２．５電力状態になることは、低電力ディスプレイ１１４を含む低電力ディスプレイモジュール（ＬＰＤＭ）５１０を介しても実行され得る。ＬＰＤＭ  ５１０は、Ｓ２．５電力状態への移行を開始するようにＢＩＯＳ  ３１４の低電力モードサブシステム５０８と通信し得る（矢印５２５によって示される）ユーザーインタフェース５１２（これは、低電力ディスプレイ１１４のコントロール機器、ボタン、またはメニューとして具体化され得る）を含む。あるいは、またはそれに加えて、ユーザーインタフェース５１２は、Ｓ２．５電力状態への移行を開始するように低電力モードサービス５２０と直接通信し得る（これも、破線の矢印５１８に示される）。さらにあるいは、またはそれに加えて、ＬＰＤＭ  ５１０（そのユーザインタフェース５１２を含む）は、Ｓ２．５電力状態への移行を開始するか、または低電力モードにおいて情報を提示する（例えば、メディアファイルを実行するか低電力ディスプレイ１１４上で電子メールを提示する）ように、ＬＰＤＭアプリケーションサービス５２４と通信し得る（これは、矢印５２６によって示される）。ユーザー５１４は、適切な電力状態への移行をトリガするように、リッドスイッチ１１２またはＬＰＤＭ  ５１０を動作し得る。
【００４７】
一実施形態の低電力モードサービス５２０は、常に実行中のサービス、プログラム、サブルーチン、モジュール、または別のソフトウェアコードまたは一組の機械読取り可能な命令を含む。Ｓ０電力状態では、低電力モードサービス５２０は、動作しているが、基本的には最少量のタスクを実行するか、より詳しくは、低電力モードサービス５２０が、Ｓ２．５電力状態への移行必要性を示す特定のアクティビティをモニタリングする。そのようなモニタリングされたアクティビティの一例は、リッドスイッチ１１２のアクティブ化であり、そのスイッチは、ポータブルコンピュータ１００のリッドが閉じているか開いているかを示す。
【００４８】
リッドが閉じている場合、または別のアクティビティがＳ２．５状態の低電力モードへの移行の必要を示す場合では、低電力モードサービス５２０は、起きるか、アクティブのレベルが上がり、もしある場合にはいずれの低電力モードアプリケーションをアクティブにするかを決定し；低電力モードアプリケーションによって提供される情報および／またはプログラムデータ３２４の一部を構成する電力プロファイルから、その低電力モードアプリケーションに対するハードウェア、ソフトウェアおよび電力の需要を決定し；矢印５３２に示されるように、ＢＩＯＳ  ３１４とオペレーティングシステムカーネル５２８の一方または両方と通信することによって、特定の要素を特定の順序で停止し；または、低電力モードにおいてポータブルコンピュータ１００の動作に関連してタスクを実行する。矢印５２２はまた、低電力モードサービス５２０によるＢＩＯＳ  ３１４へのこの通信を表し、矢印５３２は、低電力モードサービス５２０によるオペレーティングシステムカーネル５２８への通信を表す。そして、オペレーティングシステムカーネル５２８および／またはＢＩＯＳ  ３１４は、不必要なハードウェア、ソフトウェア、サービスおよび別の要素の電力の低下を選択的に開始し得る。一実施形態における電子メールのコンテキストでは、矢印５２２はまた、ＢＩＯＳ  ３１４の低電力モードサブシステム５０８をＯＮおよびＯＦＦにすることを示し、それによって、新規の電子メールに対する外部サーバ（例えば、サーバ３５０）の周期的なポーリングに用いられるポータブルコンピュータ１００の要素（例えば、トランシーバ３４８）のアクティブ化および非アクティブ化を可能にする。
【００４９】
ある実施形態では、低電力モードにおいて必要がないタスク、使用されないタスク、または無関係なタスクを一時停止するために、低電力モードサービス５２０は、オペレーティングシステムカーネル５２８およびＢＩＯＳ  ３１４の一方または両方に、割り込まれるまで一時停止のメッセージと比べて再開されるまで一時停止のメッセージを送信する。再開信号が低電力モードサービス５２０から送信されると、一時停止されたタスクは、一時停止された点において、再開される。割り込みと比べて、ある実施形態では、再開信号を用いてそれらのタスクを一時停止状態から外すということに留意されたい。割り込みは、場合によっては、既存のシステムにおいて要素をスタンバイ状態から外す。しかし、ある実施形態では、低電力モードにおいて動作中に割り込みが生成され、そのような要素が低電力モード中に一時停止のままであり不必要なタスクを実行（従って、不必要に電力を消費）しないことを確実にするために、割り込みよりむしろ再開信号を用いることによって、要素を一時停止状態から外す。
【００５０】
低電力モードサービス５２０は、図３に示されるプログラム／モジュール３２４の一部を構成し得る。一実施形態では、サービスがオペレーティングシステムカーネル５２８と相互作用しそのカーネルに干渉することを可能にするように、低電力モードサービス５２０は、Ｍｉｃｒｏｓｏｆｔ  Ｗｉｎ３２  Ｓｏｆｔｗａｒｅ  Ｄｅｖｅｌｏｐｍｅｎｔ  Ｋｉｔ（ＳＤＫ）を用いて書き込まれ得るサービスを含む。次には、オペレーティングシステムカーネル５２８（例えば、Ｗｉｎｄｏｗｓ（登録商標）  ＸＰカーネル）が、全オペレーティングシステム３２０の一部を構成し得る。
【００５１】
オペレーティングシステムカーネル５２８の場合では、矢印５３０に示されるように、Ｓ１〜Ｓ５電力状態において、ＢＩＯＳ  ３１４を呼び出すことによって特定の要素をＯＮまたはＯＦＦにし得る。一実施形態では、これは、低電力モードに不必要な特定のハードウェア要素を停止するような、低電力モードサブシステム５０８への直接的なＢＩＯＳ呼び出しを含む。あるいは、またはそれに加えて、オペレーティングシステムカーネル５２８は、対応するドライバ５３４を停止することによって、特定のソフトウェア要素（例えば、不必要なサービス５３６またはアプリケーション）を停止し得る。オペレーティングシステムカーネル５２８はまた、そのようなサービス５３６またはアプリケーションを、それらのドライバ５３４をアクティブ化することによって、選択的にＯＮにし得る。
【００５２】
低電力モードで動作するある実施形態では、低電力モードサービス５２０および／またはＬＰＤＭアプリケーションサービス５２４は、図５において低電力アプリケーションＡおよびＢとして示される一つ以上の低電力モードアプリケーション５３８と相互作用する。低電力アプリケーションＡの一例は、メディアプレーヤであり、そのような低電力メディアプレーヤは、タイトルが「ＬＯＷ  ＰＯＷＥＲ  ＭＥＤＩＡ  ＰＬＡＹＥＲ  ＦＯＲ  ＥＬＥＣＴＲＯＮＩＣ  ＤＥＶＩＣＥ」（出願日    、代理人整理番号９３００８６．４１１）の米国特許出願第    号に開示されている。低電力アプリケーションＢの一例は、クライアント側電子メールプログラムであり、それは、例えば、タイトルが「ＭＥＴＨＯＤ  ＡＮＤ  ＳＹＳＴＥＭ  ＦＯＲ  ＭＡＮＡＧＩＮＧ  ＥＭＡＩＬ  ＡＴＴＡＣＨＭＥＮＴＳ  ＦＯＲ  ＡＮ  ＥＬＥＣＴＲＯＮＩＣ  ＤＥＶＩＣＥ」（出願日２００４年５月７日、代理人整理番号９３００８６．４０７）の米国特許出願第    号、タイトルが「ＭＥＴＨＯＤ  ＡＮＤ  ＳＹＳＴＥＭ  ＦＯＲ  ＰＯＬＬＩＮＧ  ＡＮＤ  ＣＡＣＨＩＮＧ  ＥＭＡＩＬＳ  ＦＯＲ  ＡＮ  ＥＬＥＣＴＲＯＮＩＣ  ＤＥＶＩＣＥ」（出願日２００４年５月７日、代理人整理番号９３００８６．４０８）の米国特許出願第    号、およびタイトルが「ＭＥＴＨＯＤ  ＡＮＤ  ＳＹＳＴＥＭ  ＦＯＲ  ＥＭＡＩＬ  ＳＹＮＣＨＲＯＮＩＺＡＴＩＯＮ  ＦＯＲ  ＡＮ  ＥＬＥＣＴＲＯＮＩＣ  ＤＥＶＩＣＥ」（出願日２００４年５月７日、代理人整理番号９３００８６．４０９）の米国特許出願第    号に開示されている。これらの特許出願の全ては、本願と同一の譲受人に譲渡され、その全ては本明細書に援用される。
【００５３】
低電力モードにおいて選択的にアクティブ化され得る型のネットワークアクセス構成要素５４０（無線および有線の一方または両方）もあり得る。ネットワークアクセス構成要素５４０の例には、トランシーバ３４８またはネットワークインタフェース３４６が含まれる。低電力モードアプリケーション５３８およびネットワークアクセス構成要素５４０は、低電力モードにおいて必要に応じて、ディスクキャッシュ５４２または別の適切な揮発性メモリ位置にアクセスし得る。ここで、ディスクキャッシュ５４２は、ＲＡＭ  ３１２または別のストレージユニットの一部を構成し得る。
【００５４】
低電力モードアプリケーション５３８は、低電力モードにおいて、インストールされたアプリケーション５４８および５５６と通信し得る。これらのインストールされたアプリケーションの例には、Ｗｉｎｄｏｗｓ（登録商標）  Ｍｅｄｉａ  ＰｌａｙｅｒＴＭ  ９およびＭｉｃｒｏｓｏｆｔ  ＯｕｔｌｏｏｋＴＭ  ２００３が含まれる。ある実施形態では、これらのインストールされたアプリケーション５４８および５５６は、低電力モードにおいて、低電力モードアプリケーション５３８にサポート機能およびデータを提供する。一例として、このインストールされたアプリケーション５５６がＷｉｎｄｏｗｓ（登録商標）  Ｍｅｄｉａ  ＰｌａｙｅｒＴＭ  ９である場合、インストールされたアプリケーション５５６の再生、停止、早送り、一時停止、巻き戻し、または別の機能を用いるように、低電力アプリケーションＡ（例えば、低電力メディアプレーヤ）は、低電力メディアプレーヤ５３８Ａとインストールされたアプリケーション５５６との間に情報を通信するためのアプリケーションプログラムインタフェース（ＡＰＩ）５４４または別の適切な手段を介して、インストールされたアプリケーション５５６と相互作用し得る。矢印５５２はこの相互作用を表す。一実施形態によりインストールされたアプリケーション５５６のこれらの既存の機能を用いることによって、低電力アプリケーションＡが同一の機能を実行するためのコードを作成する必要が避けられる。
【００５５】
情報（例えば、プレイリスト、歌、タイトル、アーチスト、時間など）は、インストールされたアプリケーション５５６によって、一つ以上のライブラリ５４６に維持される（これは、矢印５５０により示される）。そのライブラリもまた、低電力アプリケーションＡによってアクセス可能である。矢印５５４および５２６は、このライブラリ情報が低電力アプリケーションＡによってＬＰＤＭアプリケーションサービス５２４へと、そして低電力ディスプレイ１１４への提示のためにＬＰＤＭ  ５１０へと転送され得ることを表す。従って、ＬＰＤＭアプリケーションサービス５２４のある実施形態は、低電力メディアプレーヤ５３８ＡとＬＰＤＭ  ５１０との間の情報の通信に使用可能である。
【００５６】
図６は、一実施形態に従って、低電力モードまたは別の低減された電力状態において、ポータブルコンピュータ１００を動作する方法のフローチャート６００である。フローチャート６００によって表される特徴は、機械読取り可能な媒体に格納されたソフトウェアソースコード、ソフトウェアオブジェクトコード、または別の機械読取り可能な命令に具体化され得る。例えば、フローチャート６００に示される一部の動作は、システムメモリ３０６にソフトウェアコードとして具体化され、内部またはポータブルコンピュータ１００の別のストレージ位置に格納された電力管理データを用いる低電力モードサービス５２０によって実行され得る。種々の動作は、必ずしも示される順序に正確に実行される必要はなく、一部の動作が、追加、除去、修正、または組み合わせられ得る。
【００５７】
ブロック６０２において始まり、電力管理データの決定が実行される。この動作では、低電力モードにおいて利用可能にされるアプリケーション（例えば、低電力モードアプリケーション５３８）が、まず、識別される。次に、それらのアプリケーションに対する特定の電力、ハードウェアおよびソフトウェアの条件または別の動作パラメータが決定される。例えば、低電力ＭＰ３プレーヤに対しては、無線８０２．１１ネットワーク接続は必要ないか関係ない。従って、低電力モードにおいて、関連したモデムハードウェアおよびソフトウェアが非アクティブ化に選択され得る。しかし、そのようなモデムハードウェアおよびソフトウェアは、電子メールアプリケーションプログラムに必要とされ得る。従って、電子メールアプリケーションプログラムが低電力モードにおいて用いられる場合では、このモデムハードウェアおよびソフトウェアは、非アクティブ化に選択されない。低電力モードにおいてポータブルコンピュータ１００のリッドは通常閉じられているので、特定の要素（例えば、メインディスプレイ画面１０８）は非アクティブ化に選択され得る。
【００５８】
ブロック６０２において決定され得るさらなる情報には、アプリケーションに対する最低プロセッサ速度と、特定のタスクに対する最小電力消費と、動作中のサポートサービスであって、そのようなサービスが動作中の場合において、特定の低電力モードアプリケーションが用いられるときにおいて、その周辺機器、サポートハードウェアおよびソフトウェアが非アクティブ化され得る、サポートサービスと、などが含まれる。さらに、決定は、低電力モードにおいてタスクが実行されないことを確実にするために一時停止され、そして低電力モードが終了したときにおいて再開され得る特定のプロセッサスレッドまたはタスクからなされる。また、特定の要素を停止する適切な順序が、決定および設定され得る。例えば、最低レベルの構成要素が停止される前に、最高レベルの構成要素が停止される（例えば、ディスクドライブは、そのディスクを用いるサービスが停止されるまで、停止されない）。多くの異なった情報が、ブロック６０２において決定され得、アプリケーションごと、またはインプリメンテーションごとに異なり得る。
【００５９】
この電力管理データは、各低電力モードアプリケーションに対する電力プロファイルの一部を構成し得る。一実施形態では、予備デザイン局面において、または回路もしくはソフトウェアシミュレーション試験方法を介して、ブロック６０２において、そのような管理データは決定され得る。ソフトウェアにコーディングされるか（低電力モードアプリケーションへのコーディングを含む）、固定もしくは可変コードとして具体化されるか、ポータブルコンピュータ１００の実際の動作中にそのような情報が後でアクセスされることを可能にする別のデータ構造フォーマットに格納されるかしたテーブルに、電力管理データは格納され得る。電力管理データは、システムメモリ３０６においてプログラムデータ３２６を構成し得るか、ハードディスクドライブ３１６に格納され得るか、別の適切なストレージ位置にデータとして格納され得る。
【００６０】
ブロック６０４において、ポータブルコンピュータ１００は、非低電力モードで動作する。例えば、ポータブルコンピュータ１００は、Ｓ０電力状態にあり完全に動作し得るか、Ｓ１〜Ｓ２電力状態にありスリープ状態であり得る。一実施形態によるブロック６０４の間において、低電力モードサービス５２０またはＢＩＯＳ  ３１４内の低電力モードサブシステム５０８は、常に、背後で動作し、ブロック６０６においてイベントをモニタリングする。より詳しくは、ある実施形態によると、リッドスイッチ１１２からのアクティビティ、ＬＰＤＭ  ５１０からのアクティビティ、または、低電力モードにおけるポータブルコンピュータ１００の動作に対するユーザー５１４の要望を示すアクションをモニタリングまたは決定するために、低電力モードサービス５２０または低電力モードサブシステム５０８が用いられる。
【００６１】
ブロック６０８においてイベントが検出されない場合では、ブロック６０６において、モニタリングを続ける。しかし、ブロック６０８において特定のイベントのうちの１つが検出された場合では、低電力モードサービス５２０は、ＢＩＯＳ  ３１４およびオペレーティングシステムカーネル５２８によって制御され、低電力モードアプリケーション５３８がブロック６１０において存在するか、低電力モードにおいてタスクを実行するように要求されているかをチェックする。低電力モードアプリケーション５３８が存在しない場合、またはタスクを実行するように要求されていない場合では、ポータブルコンピュータ１００は、ブロック６１２においてスタンバイモード（例えば、Ｓ３電力状態）に移行する。一実施形態では、ブロック６１２において、ＢＩＯＳ  ３１４はＳ３電力状態への移行を開始し得る。
【００６２】
ブロック６１０において、低電力モードにおいて低電力モードアプリケーション５３８が存在しタスクを実行するように指定されていることを、低電力モードサービス５２０が決定する場合では、ブロック６１４において、低電力モードサービス５２０は、低電力モードアプリケーション５３８に関連した電力管理データを取得する。このデータを取得することは、特定の低電力モードアプリケーション５３８を呼び出しそこからデータを取得することによってか、独立にデータストアにアクセスすることによって、実行され得る。一実施形態では、電力管理データは、ポータブルコンピュータ１００が非ＬＰＭモードにおいて動作した後、ブロック６１４においてよりむしろ、起動時において、ＢＩＯＳ  ３１４から取得され得る。
【００６３】
低電力モードサービス５２０は、ブロック６１６において、取得した電力管理データに基づいて、低電力モードアプリケーション５３８に対する電力必要量および別の動作パラメータを決定するために用いられ得る。低電力モードサービス５２０は、ブロック６１８において、（例えば、機能呼び出しを介して）、命令を生成し、オペレーティングシステムカーネル５２８および／またはＢＩＯＳ  ３１４に命令を送信する。これらの命令は、選択的な停止、非アクティブ化、または一時停止に対して、ハードウェア、ソフトウェア、サービス、タスクなどの一部を識別する情報を提供する。ここで、このような部分は、低電力モードにおいて、低電力モードアプリケーション５３８の動作には不必要である。さらに、低電力モードサービス５２０によって提供されるこれらの命令は、上記一部が停止される特定の順序を特定し得る。
【００６４】
ＢＩＯＳ  ３１４および／またはオペレーティングシステムカーネル５２８は、ブロック６２０において、順次に停止するか、一時停止するか、別の非アクティブ化をするある実施形態において用いられ得て、例えば、一時停止されるか、停止されるか、非アクティブ化される種々の要素間の動作上の依存性に、それらの動作を基づかせる。ブロック６２０における動作は、プロセッサクロックの速度を下げることも含む。不必要な要素が停止されるか、一時停止されるか、非アクティブ化されるので、ポータブルコンピュータ１００は、Ｓ２．５状態の低電力モードに移行する。ブロック６２２において、低電力モードアプリケーション５３８は、呼び出されるかアクティブ化されて、一つ以上のタスクの低電力モードでの実行を始める。
【００６５】
ブロック６２２において各タスクが実行され完了するので、低電力モードサービス５２０のある実施形態では、次のタスクが低電力モードアプリケーション５３８によって同時または続いて実行される場合において、特定のタスクに関連した特定の要素または別のリソースが停止され得るかをチェックして決定する。この更新されるチェックは、ブロック６２２からブロック６１４および６１６の一方または両方を指す反復矢印によってフローチャート６００において示され、停止され得るリソースがある場合では、ブロック６１８〜６２２の動作は繰り返される。
【００６６】
低電力モードサービス５２０は、ブロック６２４において、低電力モードから出る要求を送るイベントをモニタリングする。例えば、ポータブルコンピュータ１００のリッドが開くことによって、リッドスイッチ１１２がアクティブ化され、そのスイッチは、低電力モードから出てＳ０電力状態に戻るように、低電力モードサービス５２０またはＢＩＯＳ  ３１４に信号を通信する。ブロック６２４においてそのようなイベントが検出された場合では、低電力モードサービス５２０は、オペレーティングシステムカーネル５２８および／またはＢＩＯＳ  ３１４に対して再開メッセージを生成し、それによって、それらの構成要素が、以前に非アクティブ化されたハードウェア、ソフトウェア、サービス、タスクなどを、一時停止状態を解くか、アクティブ化することを可能にする。そのようなイベントが検出されるまでは、ポータブルコンピュータ１００は、ブロック６２２において、低電力モードで動作を続ける。
【００６７】
本明細書において参照し、かつ／またはアプリケーションデータシートにリストアップした上記の米国特許および米国特許出願の広報、米国特許出願、外国特許、外国特許出願および非特許文献は、その全てが本明細書に援用される。
【００６８】
説明した実施形態の上記記載（要約書に記載したものも含む）は、本発明を、排他的に、または、まさに開示したとおりの形態に限定することを意図しない。説明を目的として本明細書において特定の実施形態および実施例を記載してきたが、本発明の精神および範囲を逸脱せずに、種々の均等な修正が可能であり、修正がなされ得る。
【００６９】
例えば、Ｗｉｎｄｏｗｓ（登録商標）  ＸＰカーネルと相互作用し、ＡＣＰＩ仕様に規定される電力状態と関連して動作するコンテキストで一部の実施形態を記載してきたが、本発明は、それらの特定のインプリメンテーションに限定されない。別の実施形態は、異なるオペレーティングシステムを用いる電子デバイスおよび／または別の仕様を用いて規定された電力状態を有する電子デバイスを用いて、インプリメントされ得る。
【００７０】
さらに、特定のタスクを達成するために特定の構成要素が特定の順序で別の構成要素と通信する種々の実施形態を記載してきた。例えば、リッドスイッチ１１２がＢＩＯＳ  ３１４と通信し、サービスを起こすようにそのＢＩＯＳが低電力モードサービス５２０と通信する、一実施形態を上述した。これは、単にインプリメンテーションの一例であり、特定の通信順序に制限されず、特定の態様で特定の構成要素のみを用いることに制限されない。低電力モードサービス５２０を起こすか別のタスクを達成するために、別の通信経路、別の通信順序およびプロトコル、ならびに別の構成要素が、種々の実施形態において用いられ得る。
【００７１】
上記の詳細な説明を鑑みて、本発明に対してこれらの修正および別の修正がなされ得る。添付の特許請求の範囲において用いる用語は、本発明を、本明細書および特許請求の範囲に開示した特定の実施形態に限定するように解釈されるべきではない。むしろ、本発明の範囲は、その全てが添付の特許請求の範囲によって決定されるべきであり、その特許請求の範囲は、確立したクレーム解釈の原則に従って解釈されるべきである。
【図面の簡単な説明】
【００７２】
【図１】図１は、例示的な電子デバイスの正面の上側と右側の等角図であり、この場合では、開いた位置で示されたリッドを含むハンドヘルド型ポータブルコンピュータの形態である。
【図２】図２は、閉めた位置で示されたリッドを含む図１の例示的なハンドヘルド型ポータブルコンピュータの正面の上側と右側の等角図である。
【図３】図３は、ポータブルコンピュータのある実施形態のブロック図であり、動作環境をより詳細に表す。
【図４】図４は、一実施形態による電力状態を図示したものである。
【図５】図５は、図４の電力状態を考慮した一実施形態によるポータブルコンピュータの種々の構成要素の相互作用と動作を図示したものである。
【図６】図６は、一実施形態による低電力モードにおいてポータブルコンピュータを動作する方法のフローチャートである。
【図１】
2007506194.tif 000003
【図２】
2007506194.tif 000004
【図３】
2007506194.tif 000005
【図４】
2007506194.tif 000006
【図５】
2007506194.tif 000007
【図６】
2007506194.tif 000008
【国際調査報告】
2007506194.tif 000009
2007506194.tif 000010
2007506194.tif 000011